【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
測定方法であって、
端末は、基地局から送信された狭帯域幅受信モードの切り替えメッセージを受信し、指定された狭帯域幅に切り替えて情報を受信することと、
ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することとを含み、
ここで、前記狭帯域幅と前記少なくとも２つの異なる測定狭帯域幅の幅がいずれもシステム帯域幅の幅より小さい、前記測定方法。
【請求項２】
前記測定方法はさらに、
前記狭帯域幅に位置する物理ダウンリンク制御チャネルにおける前記端末に対するダウンリンク制御情報を受信することを含み、
前記ダウンリンク制御情報が、前記端末に対応する端末特定サーチスペースに位置し、且つ前記端末に対応する制御チャネルユニットアグリゲーションレベルを用いることを特徴とする
請求項１に記載の測定方法。
【請求項３】
前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することは、
前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信し、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含むことと、
前記測定パラメータに基づき、前記第一の測定狭帯域幅と前記第二の測定狭帯域幅に順次に、切り替えてダウンリンク基準信号を測定することとを含むことを特徴とする
請求項１に記載の測定方法。
【請求項４】
前記測定パラメータに基づいて前記第一の測定狭帯域幅と前記第二の測定狭帯域幅に順次に、切り替えてダウンリンク基準信号を測定する前に、さらに、
前記基地局によって前記狭帯域幅の物理ダウンリンク制御チャネルで送信されたトリガ信号を受信し、前記トリガ信号が、前記測定パラメータに基づいてシステム帯域幅に切り替えてダウンリンク基準信号を測定するように前記端末をトリガすることに用いられることを含むことを特徴とする
請求項３に記載の測定方法。
【請求項５】
前記基地局によって前記端末に配置された測定パラメータが少なくとも２つの異なる配置を含み、前記測定パラメータを受信する時に、前記狭帯域幅の物理ダウンリンク制御チャネルの指示で前記測定パラメータの配置状況を確定し、
前記基地局は、現在の用いられている測定パラメータを変更する必要がある場合、前記基地局によって前記狭帯域幅の物理ダウンリンク制御チャネルで送信された、別の配置された測定パラメータを用いて測定するように前記端末に指示するための情報を受信することを特徴とする
請求項３又は４に記載の測定方法。
【請求項６】
前記少なくとも２つの異なる測定狭帯域幅が第一の測定狭帯域幅と第二の測定狭帯域幅を含む場合、ダウンリンクチャネルのチャネル状態情報を測定する必要がある時に、前記基地局のスケジューリングに従って、少なくとも２つの異なる測定狭帯域幅に順次に、切り替えてダウンリンク基準信号を測定することは、
前記基地局によって前記狭帯域幅の物理ダウンリンク制御チャネルで送信された第一のダウンリンク制御情報を受信し、前記第一のダウンリンク制御情報に、前記第一の測定狭帯域幅の帯域幅情報及び前記第一の測定狭帯域幅を測定する開始時間と終了時間が含まれることと、前記第一の測定狭帯域幅に切り替えてダウンリンク基準信号を測定することと、
前記第一の測定狭帯域幅を測定してから前記狭帯域幅に切り替えた場合、前記基地局によって前記狭帯域幅の物理ダウンリンク制御チャネルで送信された第二のダウンリンク制御情報を受信し、前記第二のダウンリンク制御情報に、前記第二の測定狭帯域幅の帯域幅情報及び前記第二の測定狭帯域幅を測定する開始時間と終了時間が含まれることと、前記第二の測定狭帯域幅に切り替えてダウンリンク基準信号を測定することとを含むことを特徴とする
請求項１に記載の測定方法。
【請求項７】
前記基地局によって前記少なくとも２つの測定狭帯域幅の帯域幅情報に配置された対応する測定狭帯域幅インデックスを受信し、前記測定狭帯域幅インデックスが、前記端末の切り替え先の測定狭帯域幅の帯域幅情報を示すことに用いられることを特徴とする
請求項６に記載の測定方法。
【請求項８】
前記測定方法はさらに、
前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られること、又は、前記基地局がプリセットアルゴリズムに基づいてダウンリンクチャネルのチャネル状態情報を計算するように、前記基地局へ前記少なくとも２つの測定狭帯域幅に対する測定結果を報告することと、
前記基地局から送信された測定停止メッセージを受信し、ダウンリンク基準信号の測定を停止することとを含むことを特徴とする
請求項１−４、６、７のいずれか一項に記載の測定方法。
【請求項９】
前記プリセットアルゴリズムは重み和計算、平均値計算又は極値を取り除いた後の平均値の計算を含むことを特徴とする
請求項８に記載の測定方法。
【請求項１０】
端末であって、
基地局から送信された狭帯域幅受信モードの切り替えメッセージを受信するように構成される受信ユニットと、
前記切り替えメッセージに基づき、指定された狭帯域幅に切り替えて情報を受信するように構成される切り替えユニットとを備え、
前記切り替えユニットがさらにダウンリンクチャネルのチャネル状態情報を測定する必要がある時に、前記基地局のスケジューリングに従って、少なくとも２つの異なる測定狭帯域幅に順次に、切り替えてダウンリンク基準信号を測定するように構成され、
ここで、前記狭帯域幅と前記少なくとも２つの異なる測定狭帯域幅の幅がいずれもシステム帯域幅の幅より小さい、端末。
【請求項１１】
前記受信ユニットは、さらに前記狭帯域幅に位置する物理ダウンリンク制御チャネルにおける前記端末に対するダウンリンク制御情報を受信するように構成され、
前記ダウンリンク制御情報が、前記端末に対応する端末特定サーチスペースに位置し、且つ前記端末に対応する制御チャネルユニットアグリゲーションレベルを用いることを特徴とする
請求項１０に記載の端末。
【請求項１２】
前記少なくとも２つの異なる測定狭帯域幅が第一の測定狭帯域幅と第二の測定狭帯域幅を含む場合、前記受信ユニットは具体的に、
前記基地局によって配置された、前記端末が前記ダウンリンク基準信号を測定するための測定パラメータを受信し、前記測定パラメータが、前記端末が前記ダウンリンク基準信号を測定するための周期、前記端末が前記周期内で前記第一の測定狭帯域幅で前記ダウンリンク基準信号を測定するための第一の期間情報、前記端末が前記周期内で前記第二の測定狭帯域幅で前記ダウンリンク基準信号を測定するための第二の期間情報を含み、前記測定パラメータを前記端末に送信するように構成され、ここで、前記周期が、前記端末が前記狭帯域幅受信モードに入り、第一の測定狭帯域幅に切り替えてダウンリンク基準信号を測定し、第二の測定狭帯域幅に切り替えてダウンリンク基準信号を測定し、前記狭帯域幅受信モードに再び入る時間長を含み、
前記切り替えユニットは具体的に、
前記測定パラメータに基づき、前記第一の測定狭帯域幅と前記第二の測定狭帯域幅に順次に、切り替えてダウンリンク基準信号を測定するように構成されることを特徴とする
請求項１０に記載の端末。
【請求項１３】
前記切り替えユニットが前記測定パラメータに基づいて前記第一の測定狭帯域幅と前記第二の測定狭帯域幅に順次に、切り替えてダウンリンク基準信号を測定する前に、前記受信ユニットはさらに、
前記基地局によって前記狭帯域幅の物理ダウンリンク制御チャネルで送信されたトリガ信号を受信するように構成され、前記トリガ信号が、前記測定パラメータに基づいてシステム帯域幅に切り替えてダウンリンク基準信号を測定するように前記端末をトリガすることに用いられることを特徴とする
請求項１２に記載の端末。
【請求項１４】
前記基地局によって前記端末に配置された測定パラメータが少なくとも２つの異なる配置を含み、前記測定パラメータを受信する時に、前記切り替えユニットはさらに前記狭帯域幅の物理ダウンリンク制御チャネルの指示で前記測定パラメータの配置状況を確定するように構成され、
前記基地局が現在の用いられている測定パラメータを変更する必要がある場合、前記受信ユニットはさらに前記基地局によって前記狭帯域幅の物理ダウンリンク制御チャネルで送信された、別の配置された測定パラメータを用いて測定するように前記端末に指示するための情報を受信するように構成されることを特徴とする
請求項１２又は１３に記載の端末。
【請求項１５】
前記少なくとも２つの異なる測定狭帯域幅が第一の測定狭帯域幅と第二の測定狭帯域幅を含む場合、前記受信ユニットは具体的に、
前記基地局によって前記狭帯域幅の物理ダウンリンク制御チャネルで送信された第一のダウンリンク制御情報を受信するように構成され、前記第一のダウンリンク制御情報に、前記第一の測定狭帯域幅の帯域幅情報及び前記第一の測定狭帯域幅を測定する開始時間と終了時間が含まれ、
前記切り替えユニットは具体的に前記第一の測定狭帯域幅に切り替えてダウンリンク基準信号を測定するように構成され、
前記第一の測定狭帯域幅を測定してから前記狭帯域幅に切り替えた場合、前記受信ユニットはさらに、前記基地局によって前記狭帯域幅の物理ダウンリンク制御チャネルで送信された第二のダウンリンク制御情報を受信するように構成され、前記第二のダウンリンク制御情報に、前記第二の測定狭帯域幅の帯域幅情報及び前記第二の測定狭帯域幅を測定する開始時間と終了時間が含まれ、前記切り替えユニットはさらに前記第二の測定狭帯域幅に切り替えてダウンリンク基準信号を測定するように構成されることを特徴とする
請求項１０に記載の端末。
【請求項１６】
前記受信ユニットはさらに前記基地局によって前記少なくとも２つの測定狭帯域幅の帯域幅情報に配置された対応する測定狭帯域幅インデックスを受信するように構成され、前記測定狭帯域幅インデックスが、前記端末の切り替え先の測定狭帯域幅の帯域幅情報を示すことに用いられることを特徴とする
請求項１５に記載の端末。
【請求項１７】
前記切り替えユニットはさらに前記基地局へダウンリンクチャネルのチャネル状態情報を報告し、前記ダウンリンクチャネルのチャネル状態情報が、前記端末によってプリセットアルゴリズムに基づいて前記少なくとも２つの異なる測定狭帯域幅に対する測定結果に対して計算して得られ、又は、前記基地局がプリセットアルゴリズムに基づいてダウンリンクチャネルのチャネル状態情報を計算するように、前記基地局へ前記少なくとも２つの測定狭帯域幅に対する測定結果を報告し、
前記基地局から送信された測定停止メッセージを受信し、ダウンリンク基準信号の測定を停止するように構成されることを特徴とする
請求項１０−１３、１５、１６のいずれか一項に記載の端末。
【請求項１８】
前記プリセットアルゴリズムは重み和計算、平均値計算又は極値を取り除いた後の平均値の計算を含むことを特徴とする
請求項１７に記載の端末。